(57)【要約】【課題】適正且つ効率的な荷材の大容量輸送を実現し、環境・コスト面等で有効に寄与する荷材運搬用梱包袋及びその搬送用吊り具を提供する。【解決手段】略箱型状の荷材Ｗを梱包して運搬可能にする。梱包シート１３から成り展開可能に構成された袋体１１と、梱包シート１３によって荷材Ｗを梱包した袋体１１を吊架するための吊りスリング１２とを有する。吊りスリング１２を介して吊架された袋体１１が、略一定姿勢を保持しながら搬送される。【選択図】      図２
0003130093.tif 000002
【実用新案登録請求の範囲】
【請求項１】
略箱型状の荷材を梱包して運搬可能にする荷材運搬用梱包袋であって、
梱包シートから成り展開可能に構成された袋体と、前記梱包シートによって前記荷材を梱包した前記袋体を吊架するための吊りスリングとを有し、
前記吊りスリングを介して吊架された前記袋体が、略一定姿勢を保持しながら搬送されるようにしたことを特徴とする荷材運搬用梱包袋。
【請求項２】
前記梱包シートは、前記荷材の各面に対応する複数の梱包面と、前記各梱包面の端部に付設された折返し部とを有し、前記各梱包面が所定の順序で折り込まれることを特徴とする請求項１に記載の荷材運搬用梱包袋。
【請求項３】
前記各折り返し部は、折り込まれた前記各梱包面を緊締保持する固縛手段を有することを特徴とする請求項２に記載の荷材運搬用梱包袋。
【請求項４】
前記吊りスリングは、前記荷材を梱包した前記袋体の底部から掛け渡されたエンドレススリングで成り、前記荷材の長手方向に沿って複数個所に装架されることを特徴とする請求項１〜３のいずれか１項に記載の荷材運搬用梱包袋。
【請求項５】
前記吊りスリングの装架部位適所にその位置ずれ防止機能を有するガイド手段を設けたことを特徴とする請求項１〜４のいずれか１項に記載の荷材運搬用梱包袋。
【請求項６】
前記袋体を吊架する前記吊りスリングの端部を支持し、該吊りスリングを介して前記袋体を略水平に保持して搬送するようにしたことを特徴とする搬送用吊り具。
【考案の詳細な説明】
【技術分野】
【０００１】
本考案は、古紙等の荷材を運送するのに好適な荷材運搬用梱包袋及びその搬送用吊り具に関するものである。
【背景技術】
【０００２】
現在、国内物流における輸送機関分担率は自動車が最大であり、５０％を超えている。ところが、トラックの二酸化炭素排出量は、大量輸送機関である鉄道、内航海運に比べて多い。国内物流を支え、二酸化炭素の排出を抑制するためにはトラック単体の燃費性能や輸送効率の向上と併せて、内航海運等による単体でのエネルギー効率の良い輸送機関の活用を図ることが必要とされ、所謂モーダルシフトとして物流業界で期待されている。
【０００３】
例えば古紙を輸送する場合、所定の大きさの古紙塊に形成された所謂、古紙ベールとして物流経路にのせられる。古紙は従来、主に陸上輸送されているが、この古紙にあってもモーダルシフトの要請がある。
【考案の開示】
【考案が解決しようとする課題】
【０００４】
具体的な例として、荷材である再生紙の原料として古紙ベール（古紙をスリッター圧縮した長方形（例えば１２００×１２００×２０００ｍｍ）で重量１ｔ）の運搬では、船舶による航送とトラック運搬方式がある。船舶航送では大容量輸送が可能であるが、荷役、横持、保管作業時に発生する古紙の散乱防止に大掛かりな環境対策とコストが必要になる。また、荷役作業は玉掛けワイヤを引き通し個別単位で玉掛けを行うため生産性も悪い。トラック輸送では必要最少量の輸送に適するが、散乱防止のために車カバーが必要であり、大容量輸送の場合は配車が困難になる。また、大気汚染等の負荷が大きい輸送形態でもある。
【０００５】
本考案はかかる事情に鑑みてなされたものであり、適正且つ効率的な荷材の大容量輸送を実現し、環境・コスト面等で有効に寄与する荷材運搬用梱包袋及びその搬送用吊り具を提供することを目的とする。
【課題を解決するための手段】
【０００６】
本考案による荷材運搬用梱包袋は、略箱型状の荷材を梱包して運搬可能にする荷材運搬用梱包袋であって、梱包シートから成り展開可能に構成された袋体と、前記梱包シートによって前記荷材を梱包した前記袋体を吊架するための吊りスリングとを有し、前記吊りスリングを介して吊架された前記袋体が、略一定姿勢を保持しながら搬送されるようにしたことを特徴とする。
【０００７】
また、本考案の荷材運搬用梱包袋において、前記梱包シートは、前記荷材の各面に対応する複数の梱包面と、前記各梱包面の端部に付設された折返し部とを有し、前記各梱包面が所定の順序で折り込まれることを特徴とする。
【０００８】
また、本考案の荷材運搬用梱包袋において、前記各折り返し部は、折り込まれた前記各梱包面を緊締保持する固縛手段を有することを特徴とする。
【０００９】
また、本考案の荷材運搬用梱包袋において、前記吊りスリングは、前記荷材を梱包した前記袋体の底部から掛け渡されたエンドレススリングで成り、前記荷材の長手方向に沿って複数個所に装架されることを特徴とする。
【００１０】
また、本考案の荷材運搬用梱包袋は、前記吊りスリングの装架部位適所にその位置ずれ防止機能を有するガイド手段を設けたことを特徴とする。
【００１１】
また、本考案による搬送用吊り具は、前記袋体を吊架する前記吊りスリングの端部を支持し、該吊りスリングを介して前記袋体を略水平に保持して搬送するようにしたことを特徴とする。
【考案の効果】
【００１２】
本考案によれば、古紙ベール等の荷材を並列配置し、複数の古紙ベールを一括梱包することにより、作業能率を大幅に向上する。また、実作業において梱包シートの各梱包面を順次折り込むことで荷材を簡単且つ的確に梱包することができると共に、折り込まれた各梱包面を緊締保持することにより古紙ベールの散乱を確実に防止する。この結果、荷役あるいはトラック輸送等において適正で低コスト化を実現することができる。
【００１３】
袋体と一体的に構成される吊りスリングを有し、荷材を梱包した袋体の周囲に吊りスリングを引き回しする。この吊りスリングを介して袋体を吊架することで荷材の玉掛けや玉外し等の作業を簡素化し、作業効率を高めることができる。
【考案を実施するための最良の形態】
【００１４】
以下、図面に基づき、本考案による荷材運搬用梱包袋及びその搬送用吊り具の好適な実施の形態を説明する。
図１は、本考案の一実施の形態に係る梱包袋１０の使用時の状態を示している。この梱包袋１０には典型的には略箱型状の荷材が梱包され、これを搬送する。この実施形態において具体的には荷材として、前述した古紙ベールを梱包する例とする。梱包袋１０は後述する梱包シートから成り、展開可能に構成された袋体１１と、梱包シートによって荷材を梱包した袋体１１を吊架するための吊りスリング１２とを有する。そして、後述するように吊りスリング１２を介して吊架された袋体１１が、略一定姿勢を保持しながら搬送されるようになっている。
【００１５】
図２は、本考案による梱包シート１３の構成例を示している。梱包シート１３は、荷材の各面に対応する複数の梱包面と、各梱包面の端部に付設された折返し部とを有する。そして、各梱包面が所定の順序で折り込まれる。ここで、本実施形態では荷材Ｗは図２に示されるように、典型的には前述したものと実質的に同様な４個の古紙ベールｗを１段並列配置したものとし、荷材Ｗ全体としても略箱型状を呈する。なお、この例に限らず、同様に並列配置した古紙ベールｗを計８個２段積みにしたものでも可能である。
【００１６】
この実施形態では梱包シート１３は正面、底面、後面、天井面、左側面及び右側面となる梱包面１３Ａ〜１３Ｆを有する。梱包面１３Ａは折返し部１４を、梱包面１３Ｄは折返し部１５を、梱包面１３Ｅは折返し部１６ａ〜１６ｃを、梱包面１３Ｆは折返し部１７ａ〜１７ｃをそれぞれ有している。梱包シート１３の形成材料としては、テント地等が好適である。
【００１７】
各折返し部１４〜１７（１７ａ〜１７ｃ）は、折り込まれた各梱包面１３Ａ〜１３Ｆを緊締保持する固縛手段を有する。固縛手段として、先端にゴムバンド１９が接続された引寄せロープ１８（１８ａ〜１８ｈ）と、側面保持用ロープ２０（２０ａ〜２０ｄ）とを含む。なお、各ゴムバンド１９の先端にはフック（その詳細構造については説明を省略するが、例えばＳ字状の金属製のもの）が付設されており、相手部材に引っ掛けるようになっている。
【００１８】
この例では折返し部１４は一対の引寄せロープ１８ａ，１８ｂを、折返し部１５は一対の引寄せロープ１８ｃ，１８ｄを、折返し部１６ａは一対の引寄せロープ１８ｅ，１８ｆを、折返し部１７ａは一対の引寄せロープ１８ｇ，１８ｈをそれぞれ有する。各引寄せロープ１８は、各折返し部１４〜１７の角部から延出する。
また、折返し部１６ｂ，１６ｃは側面保持用ロープ２０ａ，２０ｂを、折返し部１７ｂ，１７ｃは側面保持用ロープ２０ｃ，２０ｄをそれぞれ有する。
【００１９】
また、梱包面１３Ｅ，１３Ｆの梱包面１３Ｂとの境界部付近には、後述するように引寄せロープ１８（引寄せロープ１８ａ，１８ｂ等のゴムバンド１９）を掛けるための掛止部２１，２２が設けられている。
【００２０】
次に、吊りスリング１２は、荷材Ｗを梱包した袋体１１の底部から掛け渡されるエンドレススリングで成り、図１に示されるように荷材Ｗの長手方向に沿って複数個所に装架される。吊りリング１２の形成材料としてはナイロンが好適であり、幅広の帯状に形成したものが用いられる。この場合、梱包シート１３には、吊りスリング１２の装架部位適所にその位置ずれ防止機能を有する複数のガイド手段が設けられている。吊りリング１２の幅が狭い場合、袋体１１を吊架した際に吊りスリング１２が装架部位にて梱包シート１３に食い込んでしまうことがあり、これを防止するため吊りスリング１２は適度に幅広にするのがよい。
【００２１】
ここで、この実施形態では図５にも示したように２本のエンドレスリングとした吊りリング１２を使用する。この場合には図２に示すように、８つのガイド手段２３が設けられる。ガイド手段２３の具体的構成において、図２及び図５等を参照して各ガイド手段２３は、梱包面１３Ｂ（底面）から梱包面１３Ａ（正面）及び１３Ｃ（後面）かけて敷設された補強マット２４と、この補強マット２４に固着する固定材２５と、固定材２５を緊締する紐材２６とを含む（図５（ａ）Ｐ部、図５（ｂ）Ｐ部詳細）。
【００２２】
補強マット２４は典型的には梱包シート１３と同一材料で形成され、即ち吊りスリング１２の装架部位を梱包シート１３及び補強マット２４とで二重構造とすることにより、その部分の強度を確保している。また、固定材２５は補強マット２４上に固着するが、観音開き状に開閉し得るようになっており、吊りスリング１２を抱え込むように保持する。固定材２５の内側に吊りスリング１２を保持して、紐材２６を適度に締め上げることで該吊りスリング１２を拘束することができる。この場合、吊りスリング１２は固定材２５に対してその幅方向（横方向）の動きは拘束されるが、長手方向には移動可能とする。
【００２３】
次に、本考案に係る搬送用吊り具の例を説明する。図１、図６及び図７等に示したように搬送用吊り具３０は、袋体１１を吊架する吊りスリング１２の端部を支持し、該吊りスリング１２を介して袋体１１を略水平に保持して搬送するようにしたものである。
【００２４】
吊り具３０は、略矩形もしくは額縁状のフレーム３１を有し、このフレーム３１がワイヤ１００（図６、詳細構造については説明を省略する）を介して作業場（港湾倉庫等）の天井クレーンによって移動可能になっている。フレーム３１の下側四隅には取付具３２が固定されており、各取付具３２にフック３３が支持される。各フック３３には、吊りスリング１２の長手方向の各端部が掛止される。
【００２５】
この例では４つのフック３３によって２本の吊りスリング１２の両端部を支持するが、各フック３３は荷材Ｗの長手方向Ｌ（図６）で見て、各古紙ベールｗの略中央部付近に位置するように配置するのが好ましい。また、荷材Ｗの幅方向Ｍ（図７（ａ））で見たフック３３の間隔は、好適には荷材Ｗの幅よりも僅かに狭い程度に設定される。このようにフック３３の間隔を設定することで、幅方向Ｍにおいて吊りスリング１２によって荷材Ｗを両側から挟み込むようにし、これにより荷材Ｗに対する拘束力を高めることができる。
【００２６】
本考案の梱包袋１０は上記のように構成されており、次に本考案による梱包袋１０の使用例を説明する。図５（ａ）は、梱包袋１０による梱包手順（［１］〜［７］）及び作業内容等を示している。梱包作業に先立ち先ず、作業場に展開された梱包シート１３には吊りスリング１２が装着される。梱包シート１３には前述したようにガイド手段２３が設けられており、２本の吊りスリング１２が図５（ａ）のように所定位置に取り付けられる。
【００２７】
展開状態の梱包シート１３において、図２に示されるように梱包面１３Ｂ（底面）上に荷材Ｗが載置される。この状態で先ず、梱包面１３Ｅ及び梱包面１３Ｆがそれぞれ折り込まれる（手順［１］）。次に手順［２］において、梱包面１３Ｅ及び梱包面１３Ｆの各引寄せロープ１８はそれぞれゴムバンド１９を介して、対応する側面保持用ロープ２０と結合される。例えば図３に示されるように引寄せロープ１８ｅと側面保持用ロープ２０ｃとが、また引寄せロープ１８ｇと側面保持用ロープ２０ａとがそれぞれ結合される。これにより梱包面１３Ｅ及び梱包面１３Ｆによって荷材Ｗの左側面及び右側面が梱包される。
【００２８】
次に手順［３］において、梱包面１３Ａが折り込まれる。次に手順［４］において、梱包面１３Ａの引寄せロープ１８ａ，１８ｂはそれぞれゴムバンド１９を介して、対応する掛止部２１，２２に結合される。これにより梱包面１３Ａによって荷材Ｗの正面が梱包される。
【００２９】
次に手順［５］及び手順［６］において、梱包面１３Ｃ及び梱包面１３Ｄがそれぞれ順に折り込まれる。次に手順［７］において、梱包面１３Ｄの引寄せロープ１８ｃ，１８ｄはそれぞれゴムバンド１９を介して、対応する掛止部２１，２２に結合される。これにより梱包面１３Ｃ及び梱包面１３Ｄによって荷材Ｗの後面及び天井面が梱包される（図４参照のこと）。
【００３０】
梱包完了後、搬送用吊り具３０が梱包袋１０の上方まで移動され、所定の高さ位置に配置される。吊りスリング１２を図４のように引き上げ、待機している搬送用吊り具３０の各フック３３に端部が掛止される。搬送用吊り具３０を上昇させることで、吊りスリング１２を介して梱包袋１０を略水平に保持して搬送することができる。
【００３１】
本考案の梱包袋１０によれば、上述のように古紙ベールｗを２条２列として４個の古紙ベールｗを並列配置し、複数の古紙ベールｗを一括梱包することにより、作業能率を大幅に向上する。
【００３２】
また、実作業において梱包シート１３の各梱包面１３Ａ〜１３Ｆを順次折り込むことで荷材Ｗを簡単且つ的確に梱包することができる。この場合、各梱包面１３Ａ〜１３Ｆの折り返し部１４〜１７により言わば、重ね折込み方式とすることで荷材Ｗを完全に包み込むことができ、更に折り込まれた各梱包面１３Ａ〜１３Ｆを緊締保持する。これにより古紙ベールの散乱を確実に防止し、荷役あるいはトラック輸送等において適正で低コスト化を実現することができる。
【００３３】
更に、荷材Ｗを梱包した袋体１１の周囲に吊りスリング１２を引き回し、この吊りスリング１２を介して袋体１１を吊架することで荷材の玉掛けや玉外し等の作業を簡素化し、作業効率を高めることができる。また、吊りスリング１２は固定材２５に対して幅方向の動きは拘束されるが、長手方向には移動可能に装着される。これにより吊りスリング１２の横ずれを防止し、安全作業を保証すると共に吊りスリング１２が適度に移動することで、
梱包袋１０を常に略水平に安定保持して搬送することができる。
【００３４】
また、搬送用吊り具３０を使用することで、トラック荷台上での玉外し作業において地上からの作業が可能になり、高所作業を避けることができる。この点でも作業の安全性を確保することができる。
【００３５】
本考案の好適な実施形態を説明したが、本考案は上述した実施形態のみに限定されるものではなく、必要に応じて適宜変更が可能である。
上記実施形態で説明した数値例等はその典型的なものを示したものであり、それらにのみ限定されるものではない。荷材Ｗとして４個の古紙ベールの例を説明したが、異なるサイズ・数量の場合も同様に適用である。例えば６個の古紙ベールに対して３本の吊りスリングを用いることもできる。
荷材Ｗとして古紙ベール以外の略箱型状もしくはこれと同等のものに対しても本考案は同様に適用可能であり、上記実施形態と同様な作用効果が得られる。
【図面の簡単な説明】
【００３６】
【図１】本考案の一実施形態における荷材運搬用梱包袋の荷材運搬時の様子を示す斜視図である。
【図２】本考案に係る梱包シートの構成例を示す斜視図である。
【図３】本考案に係る梱包シートの梱包工程を示す斜視図である。
【図４】本考案に係る梱包シートの梱包工程を示す斜視図である。
【図５】（ａ）は本考案に係る梱包シートの梱包手順の概要を示す平面図、（ｂ）は（ａ）のＰ部拡大図である。
【図６】本考案の一実施形態における荷材運搬用梱包袋の吊架形態の例を示す図である。
【図７】本考案に係る搬送用吊り具の構成例を示す（ａ）は側面図及び（ｂ）は平面図である。
【符号の説明】
【００３７】
１０  梱包袋
１１  袋体
１２  吊りスリング
１３  梱包シート
１４〜１７  折返し部
１８  引寄せロープ
１９  ゴムバンド
２０  側面保持用ロープ
２１，２２  掛止部
２３  ガイド手段
２４  補強マット
２５  固定材
２６  紐材
３０  搬送用吊り具
３１  フレーム
３２  取付具
３３  フック
【図１】
0003130093.tif 000003
【図２】
0003130093.tif 000004
【図３】
0003130093.tif 000005
【図４】
0003130093.tif 000006
【図５】
0003130093.tif 000007
【図６】
0003130093.tif 000008
【図７】
0003130093.tif 000009
【手続補正書】
【提出日】平成19年1月12日(2007.1.12)
【手続補正１】
【補正対象書類名】実用新案登録請求の範囲
【補正対象項目名】全文
【補正方法】変更
【補正の内容】
【実用新案登録請求の範囲】
【請求項１】
略箱型状の荷材を梱包して運搬可能にする荷材運搬用梱包袋であって、
梱包シートから成り展開可能に構成された袋体と、前記梱包シートによって前記荷材を梱包した前記袋体を吊架するための吊りスリングとを有し、
前記吊りスリングを介して吊架された前記袋体が、略一定姿勢を保持しながら搬送されるようにしたことを特徴とする荷材運搬用梱包袋。
【請求項２】
前記梱包シートは、前記荷材の各面に対応する複数の梱包面と、前記各梱包面の端部に付設された折返し部とを有し、前記各梱包面が所定の順序で折り込まれることを特徴とする請求項１に記載の荷材運搬用梱包袋。
【請求項３】
前記各折返し部は、折り込まれた前記各梱包面を緊締保持する固縛手段を有することを特徴とする請求項２に記載の荷材運搬用梱包袋。
【請求項４】
前記吊りスリングは、前記荷材を梱包した前記袋体の底部から掛け渡されたエンドレススリングで成り、前記荷材の長手方向に沿って複数個所に装架されることを特徴とする請求項１〜３のいずれか１項に記載の荷材運搬用梱包袋。
【請求項５】
前記吊りスリングの装架部位適所にその位置ずれ防止機能を有するガイド手段を設けたことを特徴とする請求項１〜４のいずれか１項に記載の荷材運搬用梱包袋。
【請求項６】
請求項１に記載の荷材運搬用梱包袋と、この荷材運搬用梱包袋の袋体を吊架する吊りスリングの端部を支持し、該吊りスリングを介して前記袋体を略水平に保持して搬送するようにした搬送用吊り具と、を備えてなる搬送装置。